(57)【要約】【課題】磁気テープを正常にシリンダに巻き付けることが可能な磁気テープ処理装置およびビデオデッキを提供する。【解決手段】ビデオデッキの内部に備わるローディング機構１０に、シャーシ１１に形成されたガイド溝１１ａ、１１ｂに沿って移動するスライダ６ａ、６ｂを設け、このスライダ６ａ、６ｂ上に、スライダ６ａ、６ｂの移動にともなってカセットＣ内から磁気テープＴを引き出してシリンダ９に巻き付けるガイドポスト７ａ、７ｂを立設するとともに、シリンダ９への磁気テープＴの巻き付け角度を所定の角度に維持する傾斜ピン８ａ、８ｂを斜めに立設する。そして、磁気テープＴをシリンダ９に巻き付けたときの傾斜ピン８ａ、８ｂの磁気テープＴとの接触部８ｘより上部８ｙを、ガイドポスト７ａ、７ｂの上方に届くように斜め上方向Ｕ１、Ｕ２に屈曲させ、当該屈曲部８ｚを円弧状にする。【選択図】    図３
2005025812.tif 000002
【特許請求の範囲】
【請求項１】
シャーシに形成されたガイド溝に沿って移動するスライダと、当該スライダ上に立設されスライダの移動にともなってカセット内から磁気テープを引き出して磁気ヘッドを有するシリンダに巻き付けるガイドポストと、前記スライダ上に斜めに立設され前記シリンダへの前記磁気テープの巻き付け角度を所定の角度に維持する傾斜ピンとを備えたビデオデッキにおいて、
前記磁気テープを前記シリンダに巻き付けたときの前記傾斜ピンの磁気テープとの接触部より上部を、前記ガイドポストの上方に届くように斜め上方向に屈曲させ、当該屈曲部を円弧状にしたことを特徴とするビデオデッキ。
【請求項２】
シャーシに形成された溝に沿って移動する移動部材と、当該移動部材上に立設され移動部材の移動にともなってカセット内から磁気テープを引き出して磁気ヘッドを有するシリンダに巻き付ける巻付部材と、前記移動部材上に斜めに立設され前記シリンダへの前記磁気テープの巻き付け角度を所定の角度に維持する角度維持部材とを備えた磁気テープ処理装置において、
前記角度維持部材の上端部に、前記巻付部材の上方に届くように斜め上方向に傾斜する傾斜部を設けたことを特徴とする磁気テープ処理装置。
【請求項３】
請求項２に記載の磁気テープ処理装置において、
前記磁気テープを前記シリンダに巻き付けたときの前記角度維持部材の磁気テープとの接触部より上部を、前記巻付部材の上方に届くように斜め上方向に屈曲させることにより、前記傾斜部を設けたことを特徴とする磁気テープ処理装置。
【請求項４】
請求項３に記載の磁気テープ処理装置において、
前記角度維持部材の屈曲部を円弧状にしたことを特徴とする磁気テープ処理装置。
【発明の詳細な説明】
【０００１】
【発明の属する技術分野】
本発明は、例えばビデオデッキのような磁気テープ処理装置に関し、特に挿入されたカセットから磁気テープを引き出してシリンダに巻き付けるローディング機構に関するものである。
【０００２】
【従来の技術】
例えばビデオデッキのような磁気テープ処理装置には、カセットに収納された磁気テープの記録情報を再生したり磁気テープに情報を記録するために、下記の特許文献１に示されているようなローディングを行うローディング機構が備わっている。なお、ローディングとは、装置の前面にある挿入口から挿入されたカセットを内部に引き込んでリール台座にセットする動作であるカセットローディングと、セットしたカセットから磁気テープを引き出して磁気ヘッドを有するシリンダに巻き付ける動作であるテープローディングの２つの動作のことをいう。
【０００３】
図１０〜図１２は、従来のローディング機構を示す図である。図１０において、５０はビデオデッキの内部に備わるローディング機構、５１はローディング機構５０の基部であるシャーシ、５２ａ、５２ｂはリール台座である。リール台座５２ａ、５２ｂには、磁気テープＴを収納したカセットＣの供給リールＬａと巻取リールＬｂとがそれぞれセットされ、セットされたリールＬａ、Ｌｂは、図示しないモータやギヤからなる回転機構によって回転させられてテープＴを供給しながら巻き取って行く。５３ａは供給用スライダ、５３ｂは巻取用スライダであって、これらのスライダ５３ａ、５３ｂは図示しないモータ、ギヤおよびアームからなるスライド機構によりシャーシ５１に形成されたガイド溝５１ａ、５１ｂに沿ってＦ、Ｂ方向に移動する。Ｐ１、Ｐ２はスライダ５３ａ、５３ｂがそれぞれ移動する位置であって、Ｐ１はアンテープローディング位置、Ｐ２はテープローディング位置である。
【０００４】
５４ａ、５４ｂは各スライダ５３ａ、５３ｂ上に立設されたガイドポストであって、図示しないシャフトとローラと当該ローラを回転自在にシャフトに連結するためのフランジ５４ｚとから構成されている。ガイドポスト５４ａ、５４ｂは、スライダ５３ａ、５３ｂのテープローディング位置Ｐ２への移動にともなってカセットＣ内からテープＴを引き出して磁気ヘッド（図示せず）を有するシリンダ５６に巻き付ける。５５ａ、５５ｂはスライダ５３ａ、５３ｂ上に斜めに立設された金属製の丸ピンからなる傾斜ピンであって、シリンダ５６への磁気テープＴの巻き付け角度を所定の角度に維持する。スライダ５３ａ、５３ｂがテープローディング位置Ｐ２へ移動すると、ガイドポスト５４ａ、５４ｂによってカセットＣ内から引き出されたテープＴは、傾斜ピン５５ａによって上方に曲げられてシリンダ５６に所定の角度（１９０°程度）に渡って螺旋状に巻き付けられて行き、傾斜ピン５５ｂによってその曲げを戻される。
【０００５】
上記のような構造のローディング機構５０において、ビデオデッキの前面にある図示しない挿入口から挿入されたカセットＣを、図示しない引き込み機構によってＶ方向に引き込んでリール台座５２ａ、５２ｂ上に下ろしてセットするカセットローディングを行う際に、一点鎖線で示すようにカセットＣ内でテープＴａが直線状に張っていると、テープＴａは、図１１に一点鎖線で示すようにガイドポスト５４ａ、５４ｂおよび傾斜ピン５５ａ、５５ｂのシリンダ５６側に配置される。この状態が、カセットＣおよびテープＴがリール台座５２ａ、５２ｂに正常にセットされた状態である。これに対して、カセットローディングを行う際に、図１０に太い実線で示すようにカセットＣ内でテープＴが弛んでいると、テープＴは、図１１に太い実線で示すようにガイドポスト５４ａ、５４ｂと傾斜ピン５５ａ、５５ｂとの間に弛んだまま入り込んでしまうことがある。この状態でスライダ５３ａ、５３ｂをローディング位置Ｐ２まで移動させることによりカセットＣからテープＴを引き出してシリンダ５６に巻き付けるテープローディングを行うと、テープＴは、図１２に太い実線で示すように供給リールＬａから出て、テンションポスト５７とガイドポスト５４ａとを経てシリンダ５６に巻き付けられ、ガイドポスト５４ｂを経て巻取リールＬｂに巻き取られるように配置される。しかしこのとき、テープＴは傾斜ピン５５ａ、５５ｂに引っ掛かっていないので、シリンダ５６に正常に所定の角度に渡って螺旋状に巻き付けられていない。
【０００６】
また、カセットローディングを行う際に、図１０の太い実線のように弛んだテープＴがガイドポスト５４ａ、５４ｂおよび傾斜ピン５５ａ、５５ｂのシリンダ５６側に配置されることもあるが、この場合、テープローディングを行う際に、テープＴがスライダ５３ａ、５３ｂの移動にともなって傾斜ピン５５ａ、５５ｂを競り上がって行き、傾斜ピン５５ａ、５５ｂを越えてガイドポスト５４ａ、５４ｂとの間に入り込んでしまうことがある。このようになると、テープＴは、図１２に示したように、シリンダ５６に正常に所定の角度に渡って螺旋状に巻き付けられなくなる。このため、この状態でテープＴをＫ方向に走行させて再生または録画を行うと、再生または録画した映像の品位が悪くなったり、テープＴがガイドポスト５４ａ、５４ｂで上下方向にぶれてフランジ５４ｚによって傷つけられたり、テープＴがガイドポスト５４ａ、５４ｂや傾斜ピン５５ａ、５５ｂに絡み付いて切れる等の問題が生じる。
【０００７】
なお、下記の特許文献２には、傾斜ピンの上端部に下方に向かって狭くなるテーパ部を設けることにより、テープローディングを行う際に、テープが傾斜ピンを競り上がってガイドポストから外れるのを防止することが記載されている。このようなテーパ部を設けた傾斜ピンを、図１０のローディング機構５０に適用した場合、テープローディングを行う際に、テープは傾斜ピンを競り上がってガイドポストとの間に入り込み難くなるが、テープの弛みが大きいときには、テープは傾斜ピンを競り上がってガイドポストとの間に入り込んでしまうおそれがある。また、カセットローディングを行う際に、弛んだテープがガイドポスト５４ａ、５４ｂと傾斜ピン５５ａ、５５ｂとの間に入り込むのを防ぐことはできない。
【０００８】
【特許文献１】
実用新案登録第３０７５９１７号公報（第８−９頁、図１）
【特許文献２】
特開２００２−２０３３４６号公報（第４、５頁、図５、図６）
【０００９】
【発明が解決しようとする課題】
本発明は、上記課題を解決するものであって、その目的とするところは、磁気テープを正常にシリンダに巻き付けることが可能な磁気テープ処理装置およびビデオデッキを提供することにある。
【００１０】
【課題を解決するための手段】
本発明では、シャーシに形成された溝に沿って移動する移動部材と、当該移動部材上に立設され移動部材の移動にともなってカセット内から磁気テープを引き出して磁気ヘッドを有するシリンダに巻き付ける巻付部材と、移動部材上に斜めに立設されシリンダへの磁気テープの巻き付け角度を所定の角度に維持する角度維持部材とを備えた磁気テープ処理装置において、角度維持部材の上端部に、巻付部材の上方に届くように斜め上方向に傾斜する傾斜部を設ける。また、磁気テープをシリンダに巻き付けたときの角度維持部材の磁気テープとの接触部より上部を、巻付部材の上方に届くように斜め上方向に屈曲させることにより、傾斜部を設けると、簡単でコストがかからないので好ましいが、これ以外に、角度維持部材と巻付部材との間に別の部材を設け、この部材の上面を巻付部材の上方に届くように斜め上方向に傾斜させることにより、傾斜部を設けてもよい。
【００１１】
上記のようにすると、装置の前面から挿入されたカセットをリール台座にセットするカセットローディングを行う際に、カセット内の磁気テープが弛んでいても、磁気テープが巻付部材と角度維持部材との間に入り込むことが傾斜部によって阻止されるとともに、磁気テープが傾斜部に沿って巻付部材および角度維持部材のシリンダ側に確実に案内されて配置されるようになる。また、その状態から移動部材をシャーシの溝に沿って移動させることによりカセット内から磁気テープを引き出してシリンダに巻き付けるテープローディングを行う際に、磁気テープが角度維持部材を競り上がって行っても、磁気テープが角度維持部材を越えて巻付部材との間に入り込むことが傾斜部によって阻止されるので、最終的に磁気テープを正常にシリンダに巻き付けることが可能となる。この結果、磁気テープを走行させて再生または記録を行う際に、再生または記録した情報の品位が悪くなるという問題や、磁気テープが傷ついたり切れたりするといった問題が生じることはない。
【００１２】
また、本発明においては、上述したように屈曲させた角度維持部材の屈曲部を円弧状にする。このようにすると、磁気テープが巻付部材および角度維持部材のシリンダ側に案内されて行くときや、角度維持部材を競り上がって行くときに、屈曲部に接して傷ついたり切れたりするのを防止することができる。
【００１３】
さらに、本発明の典型例では、シャーシに形成されたガイド溝に沿って移動するスライダと、当該スライダ上に立設されスライダの移動にともなってカセット内から磁気テープを引き出して磁気ヘッドを有するシリンダに巻き付けるガイドポストと、スライダ上に斜めに立設されシリンダへの磁気テープの巻き付け角度を所定の角度に維持する傾斜ピンとを備えたビデオデッキにおいて、磁気テープをシリンダに巻き付けたときの傾斜ピンの磁気テープとの接触部より上部を、ガイドポストの上方に届くように斜め上方向に屈曲させ、当該屈曲部を円弧状にする。
【００１４】
このようにすると、ビデオデッキの前面から挿入されたカセットをリール台座にセットするカセットローディングを行う際に、カセット内の磁気テープが弛んでいても、磁気テープがガイドポストと傾斜ピンとの間に入り込むことが傾斜ピンの上部によって阻止されるとともに、磁気テープがこの上部に沿ってガイドポストおよび傾斜ピンのシリンダ側に確実に案内されて配置されるようになる。また、その状態からスライダをシャーシのガイド溝に沿って移動させることによりカセット内から磁気テープを引き出してシリンダに巻き付けるテープローディングを行う際に、磁気テープが傾斜ピンを競り上がって行っても、磁気テープが傾斜ピンを越えてガイドポストとの間に入り込むことが傾斜ピンの上部によって阻止されるので、最終的に磁気テープを正常にシリンダに所定の角度に渡って螺旋状に巻き付けることが可能となる。この結果、磁気テープを走行させて再生または録画を行う際に、再生または録画した映像の品位が悪くなるという問題や、磁気テープが傷ついたり切れたりするといった問題が生じることはない。また、傾斜ピンの屈曲部を円弧状にしたことで、磁気テープがガイドポストおよび傾斜ピンのシリンダ側に案内されて行くときや、傾斜ピンを競り上がって行くときに、屈曲部に接して傷ついたり切れたりするのを防止することができる。
【００１５】
【発明の実施の形態】
図１は、本発明の実施形態に係る磁気テープ処理装置の一例であるビデオデッキの外観図である。図１において、１００はビデオデッキ、１はビデオデッキ１００の本体フレーム、２はビデオデッキ１００の前面フレームである。前面フレーム２には、磁気テープＴ（例えば、図４に図示）を収納したカセットＣ（例えば、図４に図示）が挿入される挿入口３と、ビデオデッキ１００の動作状態や時刻等を表示する表示部４と、電源ボタンや再生ボタンや録画ボタン等からなる操作部５が設けられている。
【００１６】
図２は、ビデオデッキ１００の内部に備わるローディング機構を示す平面図である。また、図３は、ローディング機構の要部拡大図であって、（ａ）が同機構の要部平面図であり、（ｂ）が同機構の要部を（ａ）のＡ方向から見た側面図である。図２において、１０はローディング機構、１１はローディング機構１０の基部であるシャーシ、１２ａ、１２ｂはリール台座である。リール台座１２ａ、１２ｂには、磁気テープＴを収納したカセットＣの供給リールＬａと巻取リールＬｂ（例えば、図４に図示）とがそれぞれセットされる。なお、セットされたリールＬａ、Ｌｂは、図示しないモータやギヤからなる回転機構によって回転させられてテープＴを供給しながら巻き取って行く。
【００１７】
６ａ、６ｂは本発明における移動部材を構成するスライダであって、６ａが供給用スライダ、６ｂが巻取用スライダである。これらのスライダ６ａ、６ｂは、シャーシ１１に形成されたガイド溝１１ａ、１１ｂを貫通するとともに、図３（ｂ）に示すようにシャーシ１１の表面側のプレート６ｘと裏面側のプレート６ｙをピン６ｚによって連結することによってシャーシ１１を挟むように配置されていて、図示しないモータ、ギヤおよびアームからなるスライド機構によりガイド溝１１ａ、１１ｂに沿ってＦ、Ｂ方向に移動する。図３（ａ）に示す６ｗはシャーシ１１に対するスライダ６ａ、６ｂの垂直度を調整するためのねじである。Ｐ１、Ｐ２はスライダ６ａ、６ｂがそれぞれ移動する位置であって、Ｐ１はアンテープローディング位置、Ｐ２はテープローディング位置である。７ａ、７ｂは本発明における巻付部材を構成するガイドポストであって、各スライダ６ａ、６ｂ上に立設されていて、図３（ｂ）に示すようにシャフト７ｘとローラ７ｙと当該ローラ７ｙを回転自在にシャフト７ｘに連結するためのフランジ７ｚとから形成されている。ガイドポスト７ａ、７ｂは、スライダ６ａ、６ｂのテープローディング位置Ｐ２への移動にともなってカセットＣ内からテープＴを引き出してシリンダ９の側面に巻き付ける。シリンダ９の側面には、図３（ｂ）に示す磁気ヘッド１３と、この磁気ヘッド１３の反対側に位置する図示しない磁気ヘッドが備わっている。これらの磁気ヘッド１３は、シリンダ９とともに図示しないモータによって所定の回転速度で回転することによって、テープＴに記録されたビデオ信号を再生したりテープＴにビデオ信号を記録する。
【００１８】
８ａ、８ｂは本発明における角度維持部材を構成する金属製の丸ピンからなる傾斜ピンであって、図３（ａ）および（ｂ）に示すように各スライダ６ａ、６ｂ上に斜めに立設されている。これら傾斜ピン８ａ、８ｂは、シリンダ９への磁気テープＴの巻き付け角度を所定の角度に維持するものである。スライダ６ａ、６ｂが、アンテープローディング位置Ｐ１からテープローディング位置Ｐ２へ移動すると、ガイドポスト７ａ、７ｂによってカセットＣ内から引き出されたテープＴは、図３（ｂ）に示す傾斜ピン８ａの側面である接触部８ｘに接触することにより上方に曲げられて、シリンダ９に所定の角度（１９０°程度）に渡って螺旋状に巻き付けられて行き、傾斜ピン８ｂの側面である接触部８ｘに接触することによりその曲げを戻される。供給用スライダ６ａに設けられた傾斜ピン８ａは、接触部８ｘより上部８ｙがガイドポスト７ａの上方に届くように斜め上方向Ｕ１に屈曲していて、巻取用スライダ６ｂに設けられた傾斜ピン８ｂは、接触部８ｘより上部８ｙがガイドポスト７ｂの上方に届くように斜め上方向Ｕ２に屈曲している。このような傾斜ピン８ａ、８ｂの上部８ｙは、本発明における傾斜部を構成する。また、各傾斜ピン８ａ、８ｂの屈曲の起点となる屈曲部８ｚは円弧状に仕上げられていて、バリやヒビ等のない滑らかな表面になっている。
【００１９】
図２に示す１４はテープＴがシリンダ９に巻き付けられたときにテープＴにテンションを付与するテンションポスト、１５はテンションポスト１４を図示しないモータやギヤからなる回動機構によってＱ方向に回動させるためのアームである。１６はテープＴに記録されている信号を消去するための全幅消去ヘッド、１７はテープＴに記録されている音声信号を再生したりテープＴに音声信号を記録するための音声ヘッド、１８はテープＴに記録されているコントロール信号を再生したりテープＴにコントロール信号を記録するためのコントロールヘッドである。１９は再生または記録時にテープＴを所定の速度で走行させるためのキャプスタン、２０はキャプスタン１９との間にテープＴを挟み込むピンチローラ、２１はピンチローラ２０を図示しないモータやギヤからなる回動機構によってＲ方向に回動させるためのアームである。２２はテープＴの走行方向を変化させるための固定ピンである。
【００２０】
図４〜図８は、上述したローディング機構１０の動作を説明するための図である。図４において、ビデオデッキ１００の前面にある挿入口３（図１）から挿入されたカセットＣを、図示しない引き込み機構によってＵ方向に引き込んでリール台座１２ａ、１２ｂ上に下ろしてセットするカセットローディングを行う際に、一点鎖線で示すようにカセットＣ内のテープＴａが直線状に張っていると、テープＴａは、図６に一点鎖線で示すようにガイドポスト７ａ、７ｂおよび傾斜ピン８ａ、８ｂのシリンダ９側に配置される。これに対して、図４に太い実線で示すようにカセットＣ内のテープＴが弛んでいると、カセットＣをＵ方向に引き込んだときに、テープＴは、図５に示すように傾斜ピン８ａ、８ｂとガイドポスト７ａ、７ｂの上方に位置する。そして、この状態からカセットＣをリール台座１２ａ、１２ｂ上に下ろして行くと、テープＴは、斜め上方向Ｕ１、Ｕ２（図３）に傾斜する傾斜ピン８ａ、８ｂの上部８ｙに当接した後に、上部８ｙに沿って屈曲部８ｚ側に案内されて行き、円弧状の屈曲部８ｚから滑り落ちて、図６に太い実線で示すようにガイドポスト７ａ、７ｂおよび傾斜ピン８ａ、８ｂのシリンダ９側に弛んだ状態のまま配置される。
【００２１】
このようにテープＴが配置された状態から、カセットＣからテープＴを引き出してシリンダ９に巻き付けるテープローディングを行うために、スライダ６ａ、６ｂをアンローディング位置Ｐ１からローディング位置Ｐ２までＦ方向に移動させて行くと、弛んだテープＴは、図７に示すようにガイドポスト７ａ、７ｂと傾斜ピン８ａ、８ｂの接触部８ｘに引っ掛けられて、カセットＣ内から引き出されて行く。このとき、弛んだテープＴが傾斜ピン８ａ、８ｂの接触部８ｘを競り上がって行っても、テープＴが傾斜ピン８ａ、８ｂを越えてガイドポスト７ａ、７ｂとの間に入り込むことは、傾斜ピン８ａ、８ｂの上部８ｙによって阻止される。そして、スライダ６ａ、６ｂが、図８に示すようにローディング位置Ｐ２で停止すると、テープＴは、供給リールＬａから出て、テンションポスト１４とガイドポスト７ａとを経た後に、傾斜ピン８ａの接触部８ｘに接触することにより上方に曲げられて、シリンダ９に所定の角度（１９０°程度）に渡って螺旋状に巻き付けられ、傾斜ピン８ｂの接触部８ｘに接触することによりその曲げを戻されて、ガイドポスト７ｂとキャプスタン１９およびピンチローラ２０を経て、巻取リールＬｂに巻き取られるように配置される。このとき、テンションポスト１４がＱ方向に回動してテープＴにテンションを付与しているので、テープＴは全幅消去ヘッド１６に所定の圧力で押し付けられている。また、ピンチローラ２０がＲ方向に回動してキャプスタン１９との間にテープＴを挟みこんでいるので、テープＴは音声ヘッド１７およびコントロールヘッド１９に所定の圧力で押し付けられている。この後は、テープＴをＫ方向に走行させるとともにシリンダ９および磁気ヘッド１３をＪ方向に回転させることにより映像の再生または録画を行う。
【００２２】
上述したように、傾斜ピン８ａ、８ｂの上部８ｙをガイドポスト７ａ、７ｂの上方に届くように斜め上方向Ｕ１、Ｕ２に屈曲させたことで、挿入口３から挿入されたカセットＣをリール台座１２ａ、１２ｂにセットするカセットローディングを行う際に、カセットＣ内のテープＴが弛んでいても、テープＴがガイドポスト７ａ、７ｂと傾斜ピン８ａ、８ｂとの間に入り込むことが傾斜ピン８ａ、８ｂの上部８ｙによって阻止されるとともに、テープＴが上部８ｙに沿ってガイドポスト７ａ、７ｂおよび傾斜ピン８ａ、８ｂのシリンダ側に確実に案内されて配置されるようになる。また、その状態からスライダ６ａ、６ｂをローディング位置Ｐ２まで移動させることによりカセットＣ内からテープＴを引き出してシリンダ９に巻き付けるテープローディングを行う際に、緩んだテープＴが傾斜ピン８ａ、８ｂの接触部８ｘを競り上がって行っても、テープＴが傾斜ピン８ａ、８ｂを越えてガイドポスト７ａ、７ｂとの間に入り込むことが傾斜ピン８ａ、８ｂの上部８ｙによって阻止されるので、最終的にテープＴを正常にシリンダ９に所定の角度に渡って螺旋状に巻き付けることが可能となる。この結果、テープＴをＫ方向に走行させて再生または録画を行う際に、再生または録画した映像の品位が悪くなるという問題や、テープＴがガイドポスト７ａ、７ｂのフランジ７ｚによって傷ついたり、テープＴがガイドポスト７ａ、７ｂや傾斜ピン８ａ、８ｂに絡み付いて切れたりするといった問題が生じることもない。
【００２３】
また、傾斜ピン８ａ、８ｂの屈曲部８ｚを円弧状にしたことで、テープＴがガイドポスト７ａ、７ｂおよび傾斜ピン８ａ、８ｂのシリンダ側に案内されて行くときや、傾斜ピン８ａ、８ｂの接触部８ｘを競り上がって行くときに、屈曲部８ｚに接して傷ついたり切れたりするのを防止することができる。さらに、本発明における傾斜部は、傾斜ピン８ａ、８ｂを屈曲させることにより簡単に形成することができ、コストがかからない。
【００２４】
以上述べた実施形態では、傾斜ピン８ａ、８ｂの接触部８ｘより上部８ｙを、ガイドポスト７ａ、７ｂの上方に届くように斜め上方向Ｕ１、Ｕ２に屈曲させることにより、傾斜部を設けた場合を例に挙げているが、本発明はこれのみに限定するものではない。これ以外に、図９に示すように、スライダ２６ａ、２６ｂの傾斜ピン２８ａ、２８ｂとガイドポスト２７ａ、２７ｂとの間に別の部材３０ａ、３０ｂを固定し、これら別の部材３０ａ、３０ｂの上面３０ｚを傾斜ピン２８ａ、２８ｂの上端部２８ｚに接するように設けるとともに、上面３０ｚをガイドポスト２７ａ、２７ｂの上方に届くように斜め上方向Ｕ３、Ｕ４に傾斜させることにより、傾斜部を設けてもよい。
【００２５】
上記のようにすると、カセットローディングを行う際に、カセットＣ内のテープＴが弛んでいても、テープＴがガイドポスト２７ａ、２７ｂと傾斜ピン２８ａ、２８ｂとの間に入り込むことが傾斜部３０ｚによって阻止されるとともに、テープＴが傾斜部３０ｚに沿ってガイドポスト２７ａ、２７ｂおよび傾斜ピン２８ａ、２８ｂのシリンダ２９側に確実に案内されて配置されるようになる。また、このように配置された状態からスライダ２６ａ、２６ｂをシャーシ２１のガイド溝２１ａ、２１ｂに沿って移動させることによりテープローディングを行う際に、テープＴが傾斜ピン２８ａ、２８ｂを競り上がって行っても、テープＴが傾斜ピン２８ａ、２８ｂを越えてガイドポスト２７ａ、２７ｂとの間に入り込むことが傾斜部３０ｚによって阻止されるので、最終的にテープＴを正常にシリンダ２９に巻き付けることが可能となる。
【００２６】
また、上記実施形態では、本発明に係る磁気テープ処理装置として、ビデオデッキ１００を例に挙げたが、本発明はこれのみに限定するものではなく、これ以外に、例えばビデオ内蔵型テレビジョン受像機や、デジタルビデオカメラや、オーディオカセットデッキにも適用することができる。
【００２７】
【発明の効果】
本発明によれば、カセットローディングを行う際に、カセット内の磁気テープが弛んでいても、磁気テープが角度維持部材と巻付部材との間に入り込むことが傾斜部によって阻止され、傾斜部に沿って巻付部材および角度維持部材のシリンダ側に確実に案内されて配置されるようになる。また、テープローディングを行う際に、磁気テープが弛んでいても、磁気テープが角度維持部材と巻付部材との間に入り込むことが傾斜部によって阻止され、磁気テープを正常にシリンダに巻き付けることが可能となる。
【図面の簡単な説明】
【図１】本発明に係るビデオデッキの外観図である。
【図２】同ビデオデッキに備わるローディング機構を示す平面図である。
【図３】同ローディング機構の要部拡大図である。
【図４】同ローディング機構の動作を説明するための図である。
【図５】同ローディング機構の動作を説明するための図である。
【図６】同ローディング機構の動作を説明するための図である。
【図７】同ローディング機構の動作を説明するための図である。
【図８】同ローディング機構の動作を説明するための図である。
【図９】他の実施形態を示す図である。
【図１０】従来のローディング機構を示す図である。
【図１１】従来のローディング機構を示す図である。
【図１２】従来のローディング機構を示す図である。
【符号の説明】
６ａ、６ｂ、２６ａ、２６ｂ    スライダ
７ａ、７ｂ、２７ａ、２７ｂ    ガイドポスト
８ａ，８ｂ、２８ａ、２８ｂ    傾斜ピン
８ｘ    接触部
８ｙ    上部
８ｚ    屈曲部
９      シリンダ
１１、２１    シャーシ
１１ａ、１１ｂ、２１ａ、２１ｂ    ガイド溝
１３    磁気ヘッド
３０ｚ  傾斜部
１００  ビデオデッキ
Ｃ      カセット
Ｔ、Ｔａ    磁気テープ
Ｕ１、Ｕ２、Ｕ３、Ｕ４    斜め上方向
【図１】
2005025812.tif 000003
【図２】
2005025812.tif 000004
【図３】
2005025812.tif 000005
【図４】
2005025812.tif 000006
【図５】
2005025812.tif 000007
【図６】
2005025812.tif 000008
【図７】
2005025812.tif 000009
【図８】
2005025812.tif 000010
【図９】
2005025812.tif 000011
【図１０】
2005025812.tif 000012
【図１１】
2005025812.tif 000013
【図１２】
2005025812.tif 000014